(57)【特許請求の範囲】
【請求項１】
並設した複数の縦枠の両面に面板を設けて壁本体を構成し、該壁本体の内部の下部を横仕切り枠材で上下に仕切って横仕切り枠材よりも下方をケーブルを配線する配線用空所とすると共に、横仕切り枠材より上方を遮音材が内装される遮音材内装部とし、遮音材内装部の上部両面のうち少なくとも片面に遮音材を遮音材内装部に入れるための側方開口部を形成し、壁本体の両面の面板のうち少なくとも片面の面板がケーブルを配線する配線用空所の側面に位置する下部面板と、側方開口部を遮蔽するための上部面板と、下部面板と上部面板との間に位置する中央面板とに分かれ、遮音材内装部の上記中央面板に対応する部分に遮音材が内装され、この遮音材が内装された部分に対応する中央面板が、ケーブルを配線する配線用空所に対応する下部面板よりも強度が強いことを特徴とする壁体。
【請求項２】
遮音材内装部に内装される遮音材が高音域を遮音する吸音材と、上記吸音材よりも高密度の低音域を遮音する高密度材とで構成され、両側の面板間において壁本体の厚み方向に吸音材と高密度材とを設けてあることを特徴とする請求項１記載の壁体。
【請求項３】
遮音材内装部内に上下方向にわたって配線路を形成し、配線路の下端部を横仕切り枠材を貫通して配線用空所に開口して成ることを特徴とする請求項１又は請求項２記載の壁体。
【請求項４】
横仕切り枠材が遮音構造を有することを特徴とする請求項１乃至請求項３のいずれか一項に記載の壁体。
【請求項５】
横仕切り枠材に吸音材設置側の面板との間に隙間を形成することで横仕切り枠材を遮音構造として成ることを特徴とする請求項２記載の壁体。
【請求項６】
横仕切り枠材と面板とが弾性部材を介して接合されることで横仕切り枠材が遮音構造となっていることを特徴とする請求項４記載の壁体。
【発明の詳細な説明】
【技術分野】
【０００１】
本発明は、部屋間の遮音性能を向上させる壁体に関するものである。
【背景技術】
【０００２】
従来から部屋間の遮音性能を向上させるための間仕切り壁が特許文献１により知られている。
【０００３】
この従来の間仕切り壁は、図１５に示すようなもので、両面板４０、左右の縦枠材及び上枠材４１、下枠材４２によって密閉中空状に形成した壁本体４３を形成し、上枠材４１に設けた注入口４４から砂４５を注入し、注入口４４に栓４６をして密閉閉塞するものである。しかしながら、この従来例にあっては、両面板４０、左右の縦枠材、上枠材４１、下枠材４２によって密閉中空状に形成された壁本体４３の内部の全部に砂４５を充填するものであるから、重量が増えて取り扱いが困難になるという問題があった。また、砂４５の注入口４４が壁本体４３の上枠材４１に設けてあるため、砂４５の注入作業がし難く、壁本体４３を施工した後に上枠材４１の上方から、つまり天井裏空間から砂４５を注入するのは天井裏空間の高さが低いところではきわめて難しい作業となるため、壁本体４３を建て込む前にあらかじめ砂４５を注入しておく必要があり、この点でも、重量物の取り扱いが困難となる。
【０００４】
また、薄型テレビを壁本体４３に取付けるような場合、テレビを含めた映像や音響機器用の配線器具を壁本体４３に設ける必要があるが、壁本体４３内の全体に砂が充填してあるため、壁本体３に配線器具を設けることが困難であり、また、ボックス等で配線器具を覆うことも考えられるが、リフォーム等で配線器具の取付け位置を変更することが不可能になるという問題があった。
【特許文献１】特開平６−２４０７７５号公報
【発明の開示】
【発明が解決しようとする課題】
【０００５】
本発明は上記の従来の問題点に鑑みて発明したものであって、簡単な構成で遮音ができると共に遮音材に邪魔されることなく内部への配線及び配線器具の取付けが容易にでき、しかも、取り扱いが容易で、現場施工を簡略して遮音構造とすることができる壁体を提供することを課題とするものである。
【課題を解決するための手段】
【０００６】
上記課題を解決するために本発明に係る壁体は、並設した複数の縦枠１の両面に面板２を設けて壁本体３を構成し、該壁本体３の内部の下部を横仕切り枠材４で上下に仕切って横仕切り枠材４よりも下方をケーブル１１を配線する配線用空所５とすると共に、横仕切り枠材４よりも上方を遮音材７が内装される遮音材内装部６とし、遮音材内装部６の上部両面のうち少なくもと片面に遮音材７を遮音材内装部６に入れるための側方開口部８を形成し、壁本体３の両面の面板２のうち少なくとも片面の面板２がケーブル１１を配線する配線用空所５の側面に位置する下部面板２ｂと、側方開口部８を遮蔽するための上部面板２ｃと、下部面板２ｂと上部面板２ｃとの間に位置する中央面板２ａとに分かれ、遮音材内装部６の上記中央面板２ａに対応する部分に遮音材７が内装され、この遮音材７が内装された部分に対応する中央面板２ａが、ケーブル１１を配線する配線用空所５に対応する下部面板２ｂよりも強度が強いことを特徴とするものである。
【０００７】
このように並設した複数の縦枠１の両面に面板２を設けて壁本体３を構成し、壁本体３の内部の下部を横仕切り枠材４で上下に仕切って横仕切り枠材４よりも下方を配線用空所５とすることで、遮音材内装部６に内装する遮音材７に邪魔されることなく配線用空所５内に配線した電源線や情報線等のケーブル１１を通すことができると共に、配線用空所５に対応した面板２部分に配線器具１２を取付けて配線用空所５内に配線したケーブル１１に接続することができる。また、遮音材７は側方開口部８から遮音材内装部６内に入れることで、簡単に遮音材内装部６に遮音材７を収納できるものであり、この場合、特に、壁本体３を建て込んだ後に遮音材７を入れて遮音性を有する壁体を構成できるので、取り扱い、施工が容易となり、また、壁本体３を建て込んだ状態で側方開口部８から遮音材７を入れることができるので、天井裏空間２５の高さに関係なく、遮音材７を入れる作業ができ、また、側方開口部８から入れた遮音材７は横仕切り枠材４により下方にもれることがなく、また、配線用空所５の上方に遮音材７が存在するので、この遮音材７に対応した面板２部分に薄型テレビ１３などの映像・音響機器を取付ける場合、下部の配線用空所５に対応した面板２部分に取付ける配線器具１２と、遮音材７を内装した部分に対応する面板２部分に取付ける薄型テレビ１３などの映像・音響機器とを電源線や情報線等のケーブル１１’で接続することができ、更に、遮音材７により薄型テレビ１３などの映像・音響機器から発生する音を遮音して隣室に音が伝わらないようにできる。また、遮音材７も薄型テレビ１３などの映像・音響機器を取付ける部分に対応して遮音に必要な箇所のみに効果的に内装するので、使用する遮音材７の量が少なくて済み、コストが低下すると共に取り扱いも容易となり、施工も簡略化する。また、壁本体３の両面の面板２のうち少なくとも片面の面板２が配線用空所５の側面に位置する下部面板２ｂと、側方開口部８を遮蔽するための上部面板２ｃと、下部面板２ｂと上部面板２との間の中央面板２ａとに分かれているので、側方開口部８から遮音材内装部６内に遮音材７を入れた後に、上部面板２ｃにより側方開口部８を閉じることができ、また、リフォームの際に配線器具１２の取付け位置を変える際、今まで配線器具１２を取付けていた箇所が切欠き部３１となって残るので、面板２を交換することがあるが、このような場合、面板２全体を交換するのではなく、下部面板２ｂのみを交換することで、配線器具１２の取付け位置を変更することができる。また、中央面板２ａが下部面板２ｂよりも強度が強いので、中央面板２ａとしては薄型テレビ１３などの映像・音響機器を取付けることができるように強度の強い合板などを用い、また、下部面板２ｂとしては配線器具１２を取付けるために容易に切欠き部３１を形成できるような石膏ボードなどを用いることができる。
【００１０】
また、遮音材内装部６に内装される遮音材７が高音域を遮音する吸音材７ａと、上記吸音材７ａよりも高密度の低音域を遮音する高密度材７ｂとで構成され、両側の面板２間において壁本体３の厚み方向に吸音材７ａと高密度材７ｂとを設けることが好ましい。
【００１１】
このような構成とすることで、薄型テレビ１３などの映像・音響機器を面板２の遮音材７に対応した部分に取付けた場合、薄型テレビ１３などの映像・音響機器から発生する音の高音域を吸音材７ａで吸音することで隣室に伝わらないように遮音すると共に、薄型テレビ１３などの映像・音響機器から発生する低音域を高密度材７ｂで遮音して隣室に伝わらないようにできて、効果的な遮音ができる。
【００１２】
また、遮音材内装部６内に上下方向にわたって配線路９を形成し、配線路９の下端部を横仕切り枠材４を貫通して配線用空所５に開口することが好ましい。
【００１３】
このような構成とすることで、遮音材内装部６に内装した遮音材７に邪魔されることなく、配線路９を通してケーブル１１を下部の配線用空所５に導入できる。
【００１６】
また、横仕切り枠材４が遮音構造を有することが好ましい。
【００１７】
このような構成とすることで、配線用空所５と、遮音材７を内装する遮音材内装部６とを仕切るための横仕切り枠材４を設けたにもかかわらず、薄型テレビ１３などの映像・音響機器から発生する音が横仕切り枠材４を介して隣室に音が伝わるのを遮音して、よりいっそう遮音効果が向上する。
【００１８】
また、横仕切り枠材４に吸音材７ａ設置側の面板２との間に隙間５０を形成することで横仕切り枠材４を遮音構造とすることが好ましい。
【００１９】
このような構成とすることで、隙間５０により横仕切り枠材４から面板２に固体振動が伝わらないようにして遮音性能、特に、低音域から中音域での遮音性能を向上でき、しかも、隙間５０が吸音材７ａ設置側の面板２との間に形成してあるので、高密度材７ｂとして砂などの粒状物を用いた場合、隙間５０からの粒状物の流失を防止できる。
【００２０】
また、横仕切り枠材５と面板２とが弾性部材５１を介して接合されることで横仕切り枠材５が遮音構造となっていることが好ましい。
【００２１】
このような構成とすることで、弾性部材５１により横仕切り枠材４から面板２に固体振動が伝わらないようにして遮音性能、特に、低音域から中音域での遮音性能を向上できる。
【発明の効果】
【００２２】
本発明は、薄型テレビなどの映像・音響機器を取付ける部分に対応した箇所に遮音材を内装するので、簡単な構成で遮音ができ、また、内部の下部は配線用空所となっているので、遮音材に邪魔されることなく内部への配線及び配線器具の取付けが容易にでき、しかも、側方開口部から遮音材を入れることができるので、壁本体を建て込んだ後であってもの遮音材を入れることができ、取り扱いが容易で、現場施工を簡略化できる。また、壁本体の両面の面板のうち少なくとも片面の面板が配線用空所の側面に位置する下部面板と、側方開口部を遮蔽するための上部面板と、下部面板と上部面板との間の中央面板とに分かれているので、側方開口部から遮音材内装部内に遮音材を入れた後に、上部面板により側方開口部を閉じることができ、また、リフォームの際に配線器具の取付け位置を変える際、下部面板のみを交換することで、配線器具の取付け位置を変更することができる。また、中央面板が下部面板よりも強度が強いので、中央面板としては薄型テレビなどの映像・音響機器を取付けることができるように強度の強い合板などを用い、また、下部面板としては配線器具を取付けるために容易に切欠き部を形成できるような石膏ボードなどを用いることができる。
【発明を実施するための最良の形態】
【００２３】
以下、本発明を添付図面に示す実施形態に基いて説明する。
【００２４】
壁本体３は並設した縦枠１の両面側に面板２を取付けて主体を構成してあり、この壁本体３内の下部には縦枠１間にわたるように横仕切り枠材４を架設してあって内部を上下に仕切ってあり、この壁本体３の内部の横仕切り枠材４よりも下方が配線を行うための配線用空所５となると共に、壁本体３の内部の横仕切り枠材４よりも上方が遮音材７を内装するための遮音材内装部６となっている。
【００２５】
添付図面に示す実施形態では壁本体３が壁パネルにより構成してあり、複数の並設した縦枠１の上端部には上横枠１６を架設すると共に複数の並設した縦枠１の上端部には上横枠１６を架設して複数の縦枠１、上横枠１６、下横枠１７、横仕切り枠材４の各部材をあらかじめ枠組みして枠体１０を形成し、この枠体１０の両面に面板２を取着して壁本体３を構成してある。なお、図１に示すように、縦枠１の下部の配線用空所５に対応する部位に隣接する壁本体３の配線用空所５に送り配線できるように送り配線用開口３７を形成してもよい。
【００２６】
遮音材内装部６内には上下方向にわたって通線用配管１８が配設してあり、この通線用配管１８の上端部を枠体１０の上横枠１６に設けた配線引き込口１９に連通接続すると共に、通線用配管１８の上端部を横仕切り枠材４に設けた通線口２０に連通接続して配線路９を構成してある。枠体１０の壁本体３の上方から壁本体３内の下部の配線用空所５内にケーブル１１を導入するための配線路９を構成してある。
【００２７】
ここで、通線用配管１８は図１、図３のように縦枠１間に設けてもよく、あるいは図５、図６に示すように縦枠１に沿わせて設けてもよい。
【００２８】
遮音材内装部６の上部両面のうち少なくとも片面に遮音材７を遮音材内装部６に入れるための側方開口部８が形成してある。この側方開口部８は壁本体３の左右方向のほぼ全長にわたって形成してある。
【００２９】
枠体１０の両面に取着される面板２は壁面下地材となるもので、両面の面板２のうち少なくとも片面の面板２は配線用空所５の側面に位置する下部面板２ｂと、側方開口部８を遮蔽するための上部面板２ｃと、下部面板２ｂと上部面板２との間の中央面板２ａとに分かれている。
【００３０】
遮音材内装部６内に内装される遮音材７は、添付図面に示す実施形態では、高音域を遮音する吸音材７ａと、上記吸音材７ａよりも高密度の低音域を遮音する高密度材７ｂとで構成され、両側の面板２間において壁本体３の厚み方向に吸音材７ａと高密度材７ｂとを重ねるようにして内装する。高密度材７ｂとしては例えば砂が用いられる。
【００３１】
図１乃至図９に示す各実施形態ではあらかじめ両面の面板２のうち片面側の面板２の遮音材内装部６に対応する部分の内面にグラスウール、ロックウール、合成樹脂発泡体等の吸音材７ａを取着しておく、吸音材７ａの厚みは遮音材内装部６内の厚み方向の巾よりも短く、遮音材７と他方の面板２の内面との間に高密度材７ｂを内装するための空所２１を形成する。砂のような粒状をした高密度材７ｂは遮音材内装部６の上部両面のうち少なくとも片面に形成した側方開口部８から遮音材内装部６の厚み方向の略半分の上記空所２１内に入れることで内装するものであるが、この高密度材７ｂの内装は壁本体３を現場で建て込んだ状態で側方開口部８から入れて内装するのが好ましく、この場合は重量物である高密度材７ｂを内装しない状態で壁本体３の取り扱い、建て込み作業ができ、取り扱いや建て込み作業が容易にできる。
【００３２】
図４には図１乃至図３に示す実施形態の施工例の一例が示してある。
【００３３】
まず、図４（ａ）のようにスラブのような床基材２２の上に床材２３（図４においては２重床としての床材２３）を施工すると共に、天井下地用梁材２４、天井下地１４を施工し、更に、天井下地１４と上階のスラブのような床基材２２（天井基材２２’）との間の天井裏空間２５に電源線や情報線のようなケーブル１１を先行配線しておき、天井下地１４が板の場合はあらかじめ引き出し孔を設けておく。ここで、２重床の場合、壁本体３の立設予定位置にあらかじめ支持脚３０を補充して設けておくことで、これから建て込む壁本体３及び壁本体３に取付ける薄型テレビ１３などの映像・音響機器の荷重を床材２３で確実に支持できるようにしておく。
【００３４】
次に、図４（ｂ）のように壁本体３を床材２３上に建て込む。この場合、中央面板２ａはあらかじめ枠体１０に固定しておくが、下部面板２ｂと上部面板２ｃとは取付けない状態で壁本体３の建て込みを行い、下横枠１７を床材２３に固着具で固着すると共に、上横枠１６を天井下地１４に固着具で固着する。
【００３５】
下部面材２ｂは、中央面材２ａ同様あらかじめ枠体に固定しても良く、上部面材２ｃも枠材に着脱自在に固定しておいても良い。
【００３６】
次に、図４（ｃ）のように壁本体３の上部側面に開口している側方開口部８から砂のような粒状をした高密度材７ｂを入れる。この場合、天井裏空間２５の上下高さが短くても、図４のように壁本体３の上部側面に開口している側方開口部８から入れることができるので、天井裏空間２５の上下高さに関係なく、容易に入れることができる。図４（ｃ）では容器２６を用いて砂のような粒状をした高密度材７ｂを側方開口部８から入れている例を示している。この場合、横仕切り枠材４で仕切ってあるので、配線用空所５内に砂のような粒状物がこぼれ落ちることがない。
【００３７】
上記のようにして側方開口部８よりも少し下の位置まで高密度材７ｂを入れた後、図４（ｄ）のように、上部面板２ｃを枠体１０に固着して側方開口部８を閉塞し、また、下部面板２ｂを枠体１０に固着する。
【００３８】
次に、図４（ｅ）に示すように天井裏空間２５に先行配線していたケーブル１１を壁本体３の上横枠１６に開口する配線引き込口１９から配線路９内に差し入れてケーブル１１を壁本体３内の下部の配線用空所５内に導入する。
【００３９】
次に、図４（ｆ）のように天井下地１４の下面側に天井材２７を取付ける。
【００４０】
次に、図４（ｇ）のように下部面板２ｂに配線器具１２を取付ける。この場合、下部面板２ｂの配線器具１２取付け部分に切欠き部３１を形成し、配線用空所５内に導入したケーブル１１を上記切欠き部３１から外部に引き出して配線器具１２に接続し、その後、配線器具１２を上記下部面板２ｂの切欠き部３１を形成した部分に取付ける。下部面板２ｂへの切欠き部３１の形成はあらかじめ形成しておいてもよく、また、図４（ｇ）の段階で切り欠いてもよい。この場合、前述のように下部面板２ｂは中央面板２ａよりも強度の弱い材料で形成した面板、例えば石膏ボードを使用するので、任意の位置に簡単に配線器具１２取付け用の上記切欠き部３１を形成することができる。配線器具１２取付け後、面板２の表面には壁仕上げ材を取着する（なお、図４では壁仕上げ材の図示を省略しているが、図２には壁仕上げ材２９を図示している）。また、床材２３上に床仕上げ材１５を敷設する。この段階で幅木２８等も取付ける。
【００４１】
次に、図４（ｈ）のように、壁本体３の中央面板２ａ部分に薄型テレビ１３などの映像・音響機器を取付け部材３３を介して取付ける。この場合、中央面板２ａは合板のような重量物を取付け支持できる強度の強い材料により形成してあるので、薄型テレビ１３などの映像・音響機器を取付けても問題はない。また、図４（ｈ）に示すように、壁本体３に取付けた薄型テレビ１３などの映像・音響機器と配線器具１２とを電源ケーブルや情報ケーブル等のケーブル１１’により接続する。
【００４２】
上記図４に示す実施形態は床、天井下地を先行して施工した後に壁本体３を建て込んで遮音壁体を構成した例を示しているが、必ずしも上記の例にのみ限定されず、図７のようにスラブのような床基材２２の上に床材２３を施工し、その後、床材２３上に壁本体３を建て込んで壁本体３の下横枠１７を床材２３に固着具で固着するという床、壁を先行して施工した後に天井を形成するものであってもよい。この実施形態においては、上横枠１６を上階の床基材２２（天井基材２２’）に固着具で固着するので、配線路９を構成する通線用配管１８の上端部が壁本体３内の上横枠１６よりも少し下方において開口すると共に面板２の上端部を切り欠いて開口部とするか、あるいは面板２の上端を上横枠１６よりも少し下方に位置させることで上横枠１６と面板２の上端との間にケーブル差込用開口部３２を形成し、上記のように壁本体３を建て込んだ後に、ケーブル差込用開口部３２から通線用配管１８の上端開口にケーブル１１を入れて通線用配管１８を通して壁本体３内の下部の配線用空所５内に導入する。その後、前述の実施形態と同様に側方開口部８から遮音材７を入れ、下部面板２ｂと上部面板２ｃとを取付ける。その後、天井下地１４を天井下地用梁材２４に取付け、天井下地１４に天井材２７を取付ける。ここで、天井下地用梁材２４はこの段階で施工して天井下地用梁材２４に天井下地１４を取付けてもよく、また、あらかじめ天井下地用梁材２４を先行施工しておいてもよい。以後は、前述の実施形態と同様にして壁本体３の中央面板２ａ部分に薄型テレビ１３などの映像・音響機器を取付け部材３３を介して取付ける。
【００４３】
また、図８に示す実施形態は、壁先行型であり、スラブのような床基材２２の上に床材２３を施工し、その後、床材２３上に壁本体３を建て込んで壁本体３の下横枠１７を床基材２２に固着具で固着すると共に上横枠１６を上階の床基材２２（天井基材２２’）に固着具で固着するものである。その後、図７の実施形態と同様にケーブル差込用開口部３２から通線用配管１８の上端開口にケーブル１１を入れて通線用配管１８を通して壁本体３内の下部の配線用空所５内に導入する。その後、前述の実施形態と同様に側方開口部８から遮音材７を入れ、下部面板２ｂと上部面板２ｃとを取付ける。その後、前述の実施形態と同様に天井下地１４を天井下地用梁材２４に取付け、天井下地１４に天井材２７を取付け、また、床基材２２上に床材２３を敷設する。本実施形態でも、天井下地用梁材２４はこの段階で施工して天井下地用梁材２４に天井下地１４を取付けてもよく、また、あらかじめ天井下地用梁材２４を先行施工しておいてもよい。以後は、前述の実施形態と同様にして壁本体３の中央面板２ａ部分に薄型テレビ１３などの映像・音響機器を取付け部材３３を介して取付ける。
【００４４】
なお、図７、図８の実施形態では壁仕上げ材２９の図示を省略しているが、図２のように面板２の外面に壁仕上げ材２９を取付ける。
【００４５】
上記実施形態では配線路９を通線用配管１８により構成した例を示しているが、必ずしもこれにのみ限定されず、図９のように縦枠１を横方向に小間隙３５を介して並設し、この小間隙３５を配線路９としてもよい。この場合、配線路９の上端部は上横枠１７に設けた前記配線引き込口１９又は前記ケーブル差込用開口部３２と連通するようにすると共に、配線路９の下端部を縦枠１の下部に設けた孔を介して配線用空所５に連通する。本実施形態においては、通線用配管１８を必要としないので構成が簡略化し、また、縦枠１を増設することになるので、壁本体３の強度も向上し、より安定して薄型テレビ１３などの映像・音響機器を取付けて支持できる。
【００４６】
また、前述の実施形態においては壁本体３内に壁本体３の厚み方向に高音域を遮音する一層の吸音材７ａと、上記吸音材７ａよりも高密度の低音域を遮音する一層の高密度材７ｂを重複した例を示してあるが、必ずしもこれにのみ限定されず、図１０に示す実施形態のように両面板２の内面にそれぞれ高音域を遮音する吸音材７ａを内装すると共に、両高音域を遮音する吸音材７ａ間に低音域を遮音する高密度材７ｂを内装して三層が重なる構造としてもよい。
【００４７】
また、砂のような粒状物よりなる低音域を遮音する高密度材７ｂは図４（ｃ）のように容器２６を用いて側方開口部８から入れるようにするものに限定されず、図１１（ａ）のように袋３４又は箱内に砂のような粒状物よりなる低音域を遮音する高密度材７ｂを入れたパック３６をあらかじめ用意し、このパック３６を側方開口部８から遮音材内装部６に入れるようにしてもよい。この場合は砂のような粒状物がこぼれず、作業性がよくなる。
【００４８】
また、上記各従来例では高音域を遮音する吸音材７ａはあらかじめ面板２の内面に取付けて、高密度材７ｂのみを側方開口部８から入れるようにしているが、図１１（ｂ）のように袋３４又は箱を２重構造として高音域を遮音する吸音材７ａと低音域を遮音する高密度材７ｂとを別々に収納したパック３６をあらかじめ用意し、このパック３６を側方開口部８から遮音材内装部６に入れるようにしてもよい。この場合は砂のような粒状物がこぼれず、作業性がよくなると共に、吸音材７ａと高密度材７ｂの両方を同時に遮音材内装部６内に内装できて取り扱いが容易となり、施工が簡略する。
【００４９】
図中１２には床下から配線する例を示している。本実施形態においては、枠体１０の下横枠１７に配線引き込口５２が設けてあり、床材２３に形成した孔５３と上記配線引き込み口５２とが連通するように床材２３上に壁本体３を建て込むようになっており、床基材２２と床材２３との間の床下に配線した電源線や情報線等のケーブル１１を上記孔５３、配線引き込み口５２に挿通して配線用空所５内に導入し、配線用空所５に対応した面板２部分に取付けた配線器具１２に上記配線用空所５内に配線したケーブル１１を接続する。この実施形態によれば、図１乃至図８のように通線用配管１８を設けたり、図９のように縦枠１を横方向に小間隙３５を介して並設することで配線路９を形成したりする必要がなく、また、横仕切り枠材４に通線口２０を設ける必要がない。
【００５０】
ところで、本発明のように横仕切り枠材４で壁本体３の内部を配線用空所５と遮音材内装部６とに上下に仕切り、遮音材内装部６に遮音材７を入れるものにおいては、遮音材７により壁本体３の面板２の遮音材７に対応した部分に薄型テレビ１３などの映像・音響機器を取付けた場合、薄型テレビ１３などの映像・音響機器から発生する音を遮音材７により大部分遮音するようになっているが、横仕切り枠材４を介して薄型テレビ１３などの映像・音響機器を取付けた方の面板２側から他方の面板２側に音の振動が伝播し、特に、低、中音が隣室に伝わりやすいという問題が残る。そこで、横仕切り枠材４を遮音構造を有するものとすることで、横仕切り枠材４を介して音が伝わるのも確実に防止できる。
【００５１】
図１３には横仕切り枠材４が遮音構造を有している一実施形態が示してある。図１３においては、横仕切り枠材４の側面に凹部５０ａを設けることで、横仕切り枠材４に面板２との間に隙間５０（つまり、凹部５０ａの凹んだ部分が隙間５０となる）を形成するようになっている。本実施形態においては、隙間５０により横仕切り枠材４から面板２に固体振動が伝わらないようにして遮音性能、特に、低音域から中音域での遮音性能を向上できる。
【００５２】
ここで、凹部５０ａの凹んだ部分の横巾はできるだけ広く確保する方が横仕切り枠材４を介しての固体振動の伝播箇所（つまり、凹部５０ａの面板２に接触して固体振動を伝播する箇所）の面積を小さくできて遮音性能を向上することができる。遮音材内装部６内に壁本体３の厚み方向に吸音材７ａと高密度材７ｂを配置する場合、上記隙間５０は横仕切り枠材４に吸音材７ａ設置側の面板２との間に形成するのが好ましい。これにより、高密度材７ｂとして砂などの粒状物を用いた場合、隙間５０からの粒状物の流失を防止できる。つまり、吸音材７ａはグラスウール、ロックウール、合成樹脂発泡体等が用いられるため、これらのグラスウール、ロックウール、合成樹脂発泡体等の吸音材７ａは砂等の粒状物よりも大きい一塊となっているため、横仕切り枠材４の凹部５０ａを含んだ部分の上面側に配置しても、凹部５０ａの縁部分に部分的に載置することができるので問題はないが、高密度材７ｂとして砂などの粒状物を用いた場合は隙間５０から流出するので、高密度材７ｂを載置する部分には隙間５０を設けないようにするのである。
【００５３】
図１４には横仕切り枠材４が遮音構造を有している他の実施形態が示してある。図１４においては、横仕切り枠材４と面板２とが弾性部材５１を介して接合されることで横仕切り枠材５が遮音構造となっている例である。弾性部材５１としては、スポンジ、ゴム、コーキング、ダンパー部材等が採用できる。本実施形態においては、弾性部材５１により横仕切り枠材４から面板２に固体振動が伝わらないようにして遮音性能、特に、低音域から中音域での遮音性能を向上できる。
【００５４】
なお、図１４（ｂ）、図１４（ｂ）において説明の都合上、図面の左半分は遮音材内装部６に遮音材７を入れる前の状態を図示し、同図面の右半分には遮音材内装部６に遮音材７を入れた後の状態を図示した図面となっているが、実際は左半分も右半分と同様に遮音材内装部６に遮音材７を入れるものである。
【図面の簡単な説明】
【００５５】
【図１】本発明の一実施形態の一部分解した斜視図である。
【図２】同上の建て込み状態の縦断面図である。
【図３】同上の横断面図である。
【図４】（ａ）〜（ｈ）は同上の施工順序を示す説明図である。
【図５】本発明の他の実施形態の一部分解した斜視図である。
【図６】同上の横断面図である。
【図７】本発明の他の施工状態を示す断面図である。
【図８】本発明の更に他の施工状態を示す断面図である。
【図９】本発明の更に他の実施形態の横断面図である。
【図１０】本発明の更に他の実施形態の横断面図である。
【図１１】（ａ）（ｂ）は側方開口部から入れる遮音材をパック化した各例を示す斜視図である。
【図１２】本発明の更に他の実施形態の縦断面図である。
【図１３】本発明の更に他の実施形態を示し、（ａ）は横仕切り枠材部分の縦断面図であり、（ｂ）は横仕切り枠材部分の横断面図である。
【図１４】本発明の更に他の実施形態を示し、（ａ）は横仕切り枠材部分の縦断面図であり、（ｂ）は横仕切り枠材部分の横断面図である。
【図１５】従来例を示す断面図である。
【符号の説明】
【００５６】
１  縦枠
２  面板
２ａ  中央面板
２ｂ  下部面板
２ｃ  上部面板
３  壁本体
４  横仕切り枠材
５  配線用空所
６  遮音材内装部
７  遮音材
７ａ  吸音材
７ｂ  高密度材
８  側方開口部
９  配線路
【図１】
0004669440.tif 000002
【図２】
0004669440.tif 000003
【図３】
0004669440.tif 000004
【図４】
0004669440.tif 000005
【図５】
0004669440.tif 000006
【図６】
0004669440.tif 000007
【図７】
0004669440.tif 000008
【図８】
0004669440.tif 000009
【図９】
0004669440.tif 000010
【図１０】
0004669440.tif 000011
【図１１】
0004669440.tif 000012
【図１２】
0004669440.tif 000013
【図１３】
0004669440.tif 000014
【図１４】
0004669440.tif 000015
【図１５】
0004669440.tif 000016